(57)【要約】【課題】通信装置の試験におけるオペレータの負担が大きくなり、適切な試験ができないことを解決する。【解決手段】本発明における通信システムは、送信側通信装置は、管理装置から試験を開始する指示を受け付けた場合に、当該送信側通信装置における試験を開始し、管理装置から試験を終了する指示を受け付けた場合に、当該送信側通信装置における試験を終了すると共に、受信側通信装置に対して試験を終了する通知である試験終了通知を送信する。また、受信側通信装置は、管理装置から試験を開始する指示を受け付けた場合に、当該受信側通信装置における試験を開始し、送信側通信装置から試験終了通知を受け付けた場合に、当該受信側通信装置における試験を終了する。【選択図】図１
2014103495.tif 000002
【特許請求の範囲】
【請求項１】
ネットワークを介して接続された複数の通信装置を備えて構成されており、
前記複数の通信装置は、ネットワークを介して接続された管理装置からの予め設定された試験の指示に応じて、予め設定された試験情報の送信及び受信を行うことで前記試験を行う送信側通信装置及び受信側通信装置を有しており、
前記送信側通信装置は、
前記管理装置から前記試験を開始する指示を受け付けた場合に、当該送信側通信装置における前記試験を開始し、
前記管理装置から前記試験を終了する指示を受け付けた場合に、当該送信側通信装置における試験を終了すると共に、前記受信側通信装置に対して前記試験を終了する通知である試験終了通知を送信し、
前記受信側通信装置は、
前記管理装置から前記試験を開始する指示を受け付けた場合に、当該受信側通信装置における前記試験を開始し、
前記送信側通信装置から前記試験終了通知を受け付けた場合に、当該受信側通信装置における前記試験を終了する、
通信システム。
【請求項２】
請求項１に記載の通信システムであって、
前記受信側通信装置は、前記送信側通信装置から前記試験終了通知を受け付けた場合に、当該受信側通信装置における前記試験を終了すると共に、当該受信側通信装置における前記試験が終了したことを通知する試験終了応答を前記送信側通信装置に送信し、
前記送信側通信装置は、前記受信側通信装置から前記試験終了応答を受け付けた場合に、前記試験全体が終了したことを前記管理装置に通知する、
通信システム。
【請求項３】
請求項２に記載の通信システムであって、
前記試験は、Ether-OAM TSTの試験であって、当該試験時に前記送信側通信装置及び前記受信側通信装置で送信及び受信される前記試験情報は、Ether-OAM TSTの試験で規定されたOAMフレームであり、
前記送信側通信装置は、前記試験終了通知であることを表す情報を含めた前記OAMフレームの形式の前記試験終了通知を、前記受信側通信装置に対して送信し、
前記受信側通信装置は、前記試験終了応答であることを表す情報を含めた前記OAMフレームの形式の前記試験終了応答を、前記送信側通信装置に対して送信する、
通信システム。
【請求項４】
請求項３に記載の通信システムであって、
前記送信側通信装置は、前記試験時には「０」の値が設定される前記OAMフレーム内の「Flags」の値に、「０」とは異なり前記試験終了通知であることを表す情報である第１の値を設定した当該OAMフレームの形式の前記試験終了通知を、前記受信側通信装置に対して送信し、
前記受信側通信装置は、前記OAMフレーム内の「Flags」の値に、「０」とは異なり前記第１の値とも異なる第２の値を設定した当該OAMフレームの形式の前記試験終了応答を、前記送信側通信装置に対して送信する、
通信システム。
【請求項５】
請求項２乃至４のいずれかに記載の通信システムであって、
前記受信側通信装置が複数ある場合に、
前記送信側通信装置は、前記試験終了通知を前記複数の受信側通信装置にそれぞれ送信し、
前記複数の受信側通信装置は、それぞれ、前記試験終了応答を前記送信側通信装置に送信し、
前記送信側通信装置は、前記試験終了通知を送信した全ての前記受信側通信装置から前記試験終了応答を受け付けた場合に、前記試験全体が終了したことを前記管理装置に通知する、
通信システム。
【請求項６】
他の通信装置にネットワークを介して接続された通信装置であって、
ネットワークを介して接続された管理装置からの予め設定された試験の指示に応じて、予め設定された試験情報を他の通信装置に送信する送信側通信装置として機能する送信側機能部と、他の通信装置から送信された前記試験情報を受信する受信側通信装置として機能する受信側機能部と、を有しており、
前記送信側機能部は、
前記管理装置から前記試験を開始する指示を受け付けた場合に、前記送信側通信装置として自装置における前記試験を開始し、
前記管理装置から前記試験を終了する指示を受け付けた場合に、前記送信側通信装置として自装置における試験を終了すると共に、他の通信装置に対して前記試験を終了する通知である試験終了通知を送信し、
前記受信側機能部は、
前記管理装置から前記試験を開始する指示を受け付けた場合に、前記受信側通信装置として自装置における前記試験を開始し、
他の通信装置から前記試験終了通知を受け付けた場合に、前記受信側通信装置として自装置における前記試験を終了する、
通信装置。
【請求項７】
請求項６に記載の通信装置であって、
前記受信側機能部は、他の通信装置から前記試験終了通知を受け付けた場合に、前記受信側通信装置として自装置における前記試験を終了すると共に、自装置における前記試験が終了したことを通知する試験終了応答を、前記試験終了通知を送信してきた他の通信装置に送信し、
前記送信側機能部は、他の通信装置から前記試験終了応答を受け付けた場合に、前記試験全体が終了したことを前記管理装置に通知する、
通信装置。
【請求項８】
他の通信装置にネットワークを介して接続された通信装置に、
ネットワークを介して接続された管理装置からの予め設定された試験の指示に応じて、予め設定された試験情報を他の通信装置に送信する送信側通信装置として機能する送信側機能部と、他の通信装置から送信された前記試験情報を受信する受信側通信装置として機能する受信側機能部と、を実現させると共に、
前記送信側機能部は、
前記管理装置から前記試験を開始する指示を受け付けた場合に、前記送信側通信装置として自装置における前記試験を開始し、
前記管理装置から前記試験を終了する指示を受け付けた場合に、前記送信側通信装置として自装置における試験を終了すると共に、他の通信装置に対して前記試験を終了する通知である試験終了通知を送信し、
前記受信側機能部は、
前記管理装置から前記試験を開始する指示を受け付けた場合に、前記受信側通信装置として自装置における前記試験を開始し、
他の通信装置から前記試験終了通知を受け付けた場合に、前記受信側通信装置として自装置における前記試験を終了する、
ことを実現させるためのプログラム。
【請求項９】
ネットワークを介して接続された複数の通信装置を備えて構成された通信システムによる通信制御方法であって、
前記複数の通信装置は、ネットワークを介して接続された管理装置からの予め設定された試験の指示に応じて、予め設定された試験情報の送信及び受信を行うことで前記試験を行う送信側通信装置及び受信側通信装置を有しており、
前記送信側通信装置が、前記管理装置から前記試験を開始する指示を受け付けて、当該送信側通信装置における前記試験を開始すると共に、前記受信側通信装置が、前記管理装置から前記試験を開始する指示を受け付けて、当該受信側通信装置における前記試験を開始し、
前記送信側通信装置が、前記管理装置から前記試験を終了する指示を受け付けて、当該送信側通信装置における試験を終了すると共に、前記受信側通信装置に対して前記試験を終了する通知である試験終了通知を送信し、
前記受信側通信装置が、前記送信側通信装置から前記試験終了通知を受け付けて、当該受信側通信装置における前記試験を終了する、
通信制御方法。
【請求項１０】
請求項９に記載の通信制御方法であって、
前記受信側通信装置が、前記送信側通信装置から前記試験終了通知を受け付けて、当該受信側通信装置における前記試験を終了すると共に、当該受信側通信装置における前記試験が終了したことを通知する試験終了応答を前記送信側通信装置に送信し、
前記送信側通信装置が、前記受信側通信装置から前記試験終了応答を受け付けて、前記試験全体が終了したことを前記管理装置に通知する、
通信制御方法。
【発明の詳細な説明】
【技術分野】
【０００１】
本発明は、通信システムにかかり、特に、複数の通信装置が接続されて構成されており、当該通信装置の試験を行うことが可能な通信システムに関する。
【背景技術】
【０００２】
イーサネット網（イーサネット：登録商標）の保守・管理を行う機能として、標準化規格である「Ether-OAM (Operations, Administration, Maintenance)」がある。「Ether-OAM」では、特許文献１に記載されているように、通信システムを構成する通信装置に対して行う各種の試験が規定されているが、そのうち、「OpCode=37」で規定される「Ether-OAM TST」の試験がある。この「Ether-OAM TST」は、送信側となる通信装置から受信側となる通信装置に、予め設定されたフォーマットのOAMフレームを送信することで行われる。
【０００３】
そして、上記「Ether-OAM TST」の試験は、通信システムを構成する各通信装置に対して、当該通信装置に接続された管理装置から、送信側の通信装置及び受信側の通信装置のそれぞれに、試験開始を通知することで開始される。また、試験終了時にも、管理装置から送信側の通信装置及び受信側の通信装置のそれぞれに対して、試験終了を通知することで、送信側及び受信側の通信装置で試験が終了される。
【先行技術文献】
【特許文献】
【０００４】
【特許文献１】特開２００８−２２７７５７号公報
【発明の概要】
【発明が解決しようとする課題】
【０００５】
しかしながら、「Ether-OAM TST」の試験では、上述したように管理装置から送信側及び受信側の通信装置のそれぞれに対して開始と終了の通知を行なわなければならないため、管理装置を操作するオペレータに負担がかかる、という問題があった。つまり、常に、２つ以上の通信装置に対して設定を行うため、管理の負担が大きくなっていた。また、管理の負担が大きいことから、通知対象となる通信装置に対して試験終了の通知を行うことを忘れたり、既に試験終了している通信装置に対して試験終了を行うなど、誤操作が生じるという問題があった。そして、仮に受信側の通信装置に対して試験終了の通知を行わずに、再度、送信側の通信装置に試験開始を通知した場合には、試験によって算出されるあるパラメータの積算値が前回分に追加されるなど、適切な試験ができない、といった問題も生じうる。
【０００６】
このため、本発明の目的は、上述した課題である、通信装置の試験を行う際にオペレータの負担が大きくなることと、適切な試験ができないこと、を解決することができる通信システムを提供することにある。
【課題を解決するための手段】
【０００７】
本発明の一形態である通信システムは、
ネットワークを介して接続された複数の通信装置を備えて構成されており、
前記複数の通信装置は、ネットワークを介して接続された管理装置からの予め設定された試験の指示に応じて、予め設定された試験情報の送信及び受信を行うことで前記試験を行う送信側通信装置及び受信側通信装置を有しており、
前記送信側通信装置は、
前記管理装置から前記試験を開始する指示を受け付けた場合に、当該送信側通信装置における前記試験を開始し、
前記管理装置から前記試験を終了する指示を受け付けた場合に、当該送信側通信装置における試験を終了すると共に、前記受信側通信装置に対して前記試験を終了する通知である試験終了通知を送信し、
前記受信側通信装置は、
前記管理装置から前記試験を開始する指示を受け付けた場合に、当該受信側通信装置における前記試験を開始し、
前記送信側通信装置から前記試験終了通知を受け付けた場合に、当該受信側通信装置における前記試験を終了する、
という構成をとる。
【０００８】
また、本発明の他の形態である通信装置は、
他の通信装置にネットワークを介して接続された通信装置であって、
ネットワークを介して接続された管理装置からの予め設定された試験の指示に応じて、予め設定された試験情報を他の通信装置に送信する送信側通信装置として機能する送信側機能部と、他の通信装置から送信された前記試験情報を受信する受信側通信装置として機能する受信側機能部と、を有しており、
前記送信側機能部は、
前記管理装置から前記試験を開始する指示を受け付けた場合に、前記送信側通信装置として自装置における前記試験を開始し、
前記管理装置から前記試験を終了する指示を受け付けた場合に、前記送信側通信装置として自装置における試験を終了すると共に、他の通信装置に対して前記試験を終了する通知である試験終了通知を送信し、
前記受信側機能部は、
前記管理装置から前記試験を開始する指示を受け付けた場合に、前記受信側通信装置として自装置における前記試験を開始し、
他の通信装置から前記試験終了通知を受け付けた場合に、前記受信側通信装置として自装置における前記試験を終了する、
という構成をとる。
【０００９】
また、本発明の他の形態であるプログラムは、
他の通信装置にネットワークを介して接続された通信装置に、
ネットワークを介して接続された管理装置からの予め設定された試験の指示に応じて、予め設定された試験情報を他の通信装置に送信する送信側通信装置として機能する送信側機能部と、他の通信装置から送信された前記試験情報を受信する受信側通信装置として機能する受信側機能部と、を実現させると共に、
前記送信側機能部は、
前記管理装置から前記試験を開始する指示を受け付けた場合に、前記送信側通信装置として自装置における前記試験を開始し、
前記管理装置から前記試験を終了する指示を受け付けた場合に、前記送信側通信装置として自装置における試験を終了すると共に、他の通信装置に対して前記試験を終了する通知である試験終了通知を送信し、
前記受信側機能部は、
前記管理装置から前記試験を開始する指示を受け付けた場合に、前記受信側通信装置として自装置における前記試験を開始し、
他の通信装置から前記試験終了通知を受け付けた場合に、前記受信側通信装置として自装置における前記試験を終了する、
ことを実現させるためのプログラムである。
【００１０】
また、本発明の他の形態である通信制御方法は、
ネットワークを介して接続された複数の通信装置を備えて構成された通信システムによる通信制御方法であって、
前記複数の通信装置は、ネットワークを介して接続された管理装置からの予め設定された試験の指示に応じて、予め設定された試験情報の送信及び受信を行うことで前記試験を行う送信側通信装置及び受信側通信装置を有しており、
前記送信側通信装置が、前記管理装置から前記試験を開始する指示を受け付けて、当該送信側通信装置における前記試験を開始すると共に、前記受信側通信装置が、前記管理装置から前記試験を開始する指示を受け付けて、当該受信側通信装置における前記試験を開始し、
前記送信側通信装置が、前記管理装置から前記試験を終了する指示を受け付けて、当該送信側通信装置における試験を終了すると共に、前記受信側通信装置に対して前記試験を終了する通知である試験終了通知を送信し、
前記受信側通信装置が、前記送信側通信装置から前記試験終了通知を受け付けて、当該受信側通信装置における前記試験を終了する、
という構成をとる。
【発明の効果】
【００１１】
本発明は、以上のように構成されることにより、通信装置の試験を行う際にオペレータの負担を軽減でき、適切な試験を行うことができる、通信システムを提供することができる。
【図面の簡単な説明】
【００１２】
【図１】本発明における通信システムの全体構成を示すブロック図である。
【図２】図１に開示した通信システムの動作を示すシーケンス図である。
【図３】図１に開示した通信システムの動作を示す説明図である。
【図４】図１に開示した通信システムの動作を示す説明図である。
【図５】図１に開示した通信システムの動作を示す説明図である。
【図６】図１に開示した通信システムの動作を示す説明図である。
【図７】図１に開示した通信システムの動作を示す説明図である。
【図８】図１に開示した通信システムの動作を示す説明図である。
【図９】送信側通信装置から受信側通信装置に送信される試験終了通知情報のデータ構造を示す図である。
【図１０】受信側通信装置から送信側通信装置に送信される試験終了応答情報のデータ構造を示す図である。
【発明を実施するための形態】
【００１３】
本発明の第１の実施形態を、図１乃至図１０を参照して説明する。図１は、通信システムの全体構成を示すブロック図である。図２は、通信システムの動作を示すシーケンス図であり、図３乃至図８は、通信システムの動作を示す説明図である。図９及び図１０は、通信装置から送信される情報のデータ構造を示す図である。
【００１４】
本発明における通信システムは、符号ＮＥ１，ＮＥ２，ＮＥ３で示す複数の通信装置がネットワークを介して接続されて構成されている。ここで、通信装置ＮＥは、イーサネット（登録商標）規格に基づいてデータ転送を行うスイッチ装置などのネットワーク機器である。そして、通信装置ＮＥは、イーサネット網の保守・管理を行う機能として、標準化規格である「Ether-OAM (Operations, Administration, Maintenance)」の機能を有している。さらに、本発明における通信装置ＮＥは、「Ether-OAM」で行う試験の１つとして、「OpCode=37」で規定される「Ether-OAM TST」の試験を行う機能を備えている。
【００１５】
ここで、「Ether-OAM TST」の試験は、送信側となる通信装置ＮＥから受信側となる通信装置ＮＥに、予め設定されたフォーマットの「OAMフレーム」を送信することで行われる。例えば、「OAMフレーム」は、図９に示すようなフォーマットであり、具体的に、「OpeCode」は「37」であり、「Flags」は「０」の値に固定されている。なお、図９に示す「OAMフレーム」は、後述するように、送信側の通信装置ＮＥ１から受信側の送信装置ＮＥ２，ＮＥ３に、試験を終了する通知を行う際に送信されるものであるため、「Flags」の値が異なる。
【００１６】
また、上述した複数の通信装置ＮＥを備えて構成された通信システムには、図１に示すように、ネットワークサーバ装置２０やオペレータ端末１０（管理装置）が接続されている。オペレータ端末１０は、通信システムを保守・管理する事業体などに属するオペレータ（図示せず）によって操作される情報処理端末である。オペレータは、オペレータ端末１０を操作して、当該オペレータ端末１０から通信装置ＮＥに対して「Ether-OAM TST」の試験を開始する指示を通知したり、当該試験を終了する指示を通知する。
【００１７】
次に、上述した通信システムにおける「Ether-OAM TST」の試験を行う動作について、図２乃至図１０を参照して説明する。なお、後述する各通信装置ＮＥによる動作は、当該各通信装置ＮＥにプログラムが組み込まれることによって実現可能である。また、以下では、通信装置ＮＥ１が送信側通信装置、通信装置ＮＥ２，ＮＥ３が受信側通信装置であるとして説明しているが、各通信装置ＮＥは、送信側通信装置及び受信側通信装置の両方の機能を備えている。
【００１８】
まず、「Ether-OAM TST」の試験を開始する際には、オペレータがオペレータ端末１０に対して、試験を行う通信装置を選択して試験の設定／開始を指示する。このとき、オペレータは、試験対象として、通信装置ＮＥ１が送信側通信装置、通信装置ＮＥ２，ＮＥ３が受信側通信装置となるよう設定し、試験の開始を指示したとする。すると、図３の矢印Ｄ１１，Ｄ１２，Ｄ１３に示すように、オペレータ端末１０は、試験対象として設定された全ての通信装置ＮＥ１，ＮＥ２，ＮＥ３に対して、それぞれ試験開始を指示する「試験開始指示情報」を送信する（図２のステップＳ１）。
【００１９】
そして、上述したように、オペレータ端末１０から送信された「試験開始指示情報」を受信した送信側通信装置ＮＥ１は、試験の送信設定を行って試験を開始し（図２のステップＳ２）、「試験開始指示情報」を受信した受信側通信装置ＮＥ２，ＮＥ３は、試験の受信設定を行って試験を開始する（図２のステップＳ３）。つまり、図４の矢印Ｄ２０に示すように、送信側通信装置ＮＥ１は、「Ether-OAM TST」の試験用に設定されたOAMフレームを受信側通信装置ＮＥ２，ＮＥ３に送信し、当該受信側通信装置ＮＥＣ２，ＮＥ３は、OAMフレームを受信することで、「Ether-OAM TST」の試験を行う。
【００２０】
その後、「Ether-OAM TST」の試験を終了する場合には、オペレータはオペレータ端末１０に対して、対象となる試験の終了を指示する。このとき、オペレータは、送信側通信装置ＮＥ１のみに対して試験の終了を指示するようを設定する。これにより、オペレータ端末１０は、図５の矢印Ｄ３０に示すように、終了する試験の送信側通信装置ＮＥ１のみに対して、試験の終了を指示する「試験終了指示情報」を送信する（図２のステップＳ１１）。
【００２１】
そして、オペレータ端末１０から「試験終了指示情報」を受信した送信側通信装置ＮＥ１は、自装置ＮＥ１で行っている送信試験を終了する（図２のステップＳ１２）。併せて、送信側通信装置ＮＥ１は、図６の矢印Ｄ４１，Ｄ４２に示すように、送信試験でOAMフレームの送信先となっていた各受信側通信装置ＮＥ２，ＮＥ３のそれぞれに対して、試験終了を通知する「試験終了通知情報」を送信する（図２のステップＳ１３）。
【００２２】
このとき、送信側通信装置ＮＥ１は、「試験終了通知情報」として、試験時に送受信していたOAMフレームと同一フォーマットのデータを用いる。つまり、「試験終了通知情報」は、勧告「ITUT Y.1731」に習う。具体的に、送信側通信装置ＮＥ１が送信する「試験終了通知情報」の一例を、図９に示す。この図に示すように、「試験終了通知情報」は上述したOAMフレームと同一フォーマットのデータであるが、図９の斜線で示す「Flags」の値が「１」の値に設定される。つまり、「Ether-OAM TST」の試験時に送信される「Flags」の値は「０」であるが、「試験終了通知情報」であることを特定すべく、当該「試験終了通知情報」内の「Flags」の値は「１」となる。なお、「試験終了通知情報」内の［Test TLV］は「NULL」である。
【００２３】
続いて、送信側通信装置ＮＥ１が送信した「試験終了通知情報」を、各受信側通信装置ＮＥ２，ＮＥ３が受信する。すると、「試験終了通知情報」を受信した各受信側通信装置ＮＥ２、ＮＥ３は、それぞれ自装置ＮＥ２，ＮＥ３にて行っている受信試験を終了する（図２のステップＳ１４）。試験終了後、各受信側通信装置ＮＥ２，ＮＥ３は、図７の矢印Ｄ５１，Ｄ５２に示すように、上記「試験終了通知情報」を送信してきた送信側通信装置ＮＥ１に対して、試験が終了した旨を表す「試験終了応答情報」をそれぞれ送信する（図２のステップＳ１５）。
【００２４】
このとき、各受信側通信装置ＮＥ２，ＮＥ３は、「試験終了応答情報」として、試験時に送受信していたOAMフレームと同一フォーマットのデータを用いる。つまり、「試験終了応答情報」は、勧告「ITUT Y.1731」に習う。具体的に、受信側通信装置ＮＥ２，ＮＥ３が送信する「試験終了応答情報」の一例を、図１０に示す。この図に示すように、「試験終了応答情報」は上述したOAMフレームと同一フォーマットのデータであるが、図１０の斜線で示す「Flags」の値が「２」の値に設定される。つまり、「Ether-OAM TST」の試験時に送信される「Flags」の値は「０」であり、上述した送信側通信装置ＮＥ１から送信される「試験終了通知情報」における「Flags」の値は「１」であるが、これらの値とは異なり、「試験終了応答情報」であることを特定すべく、当該「試験終了応答情報」内の「Flags」の値は「２」となる。なお、「試験終了応答情報」内の［Test TLV］は「NULL」である。
【００２５】
続いて、各受信側通信装置ＮＥ２，ＮＥ３がそれぞれ送信した「試験終了応答情報」を、送信側通信装置ＮＥ１が受信する。かかる受信により、送信側通信装置ＮＥ１は、受信側通信装置ＮＥ２，ＮＥ３の試験が終了したことを確認し、図８の矢印Ｄ６０に示すように、試験全体が正常に終了したことをオペレータ装置に通知する（図２のステップＳ１６）。なお、送信側通信装置ＮＥ１は、上述した「試験終了通知情報」を送信した全ての受信側通信装置ＮＥ２，ＮＥ３から「試験終了応答情報」を受信した場合に、試験全体が終了したことをオペレータ装置に通知する。
【００２６】
以上のように、本発明における通信システムによると、「Ether-OAM TST」の試験を終了する際に、オペレータは送信側通信装置ＮＥ１に対してのみ終了の指示を行えばよく、２つ以上の通信装置に対して設定を行う必要が無い。従って、オペレータに負担を軽減することができる。また、受信側通信装置ＮＥ２，ＮＥ３による試験の終了し忘れを防止でき、これにより受信側通信装置ＮＥ２，ＮＥ３の試験が終了していないにも関わらず、再度、試験開始を指示するといった誤操作を防止することができる。従って、適切な試験を行うことができる。
【００２７】
ここで、上記では、送信側通信装置ＮＥ１は、オペレータ端末１０から「試験終了指示情報」を受信したときに、自装置ＮＥ１で行っている送信試験を終了する、と説明したが、送信側通信装置ＮＥ１が試験を終了するタイミングは、「試験終了指示情報」を受信した後であればいつでもよい。例えば、送信側通信装置ＮＥ１は、「試験終了指示情報」を受信して各受信側通信装置ＮＥ２，ＮＥ３に「試験終了通知情報」を送信した後に、自装置ＮＥ１で行っている送信試験を終了してもよい。あるいは、送信側通信装置ＮＥ１は、各受信側通信装置ＮＥ２，ＮＥ３から「試験終了応答情報」を受信した後であって、オペレータ端末１０に正常に試験が終了したことを通知する前に、自装置ＮＥ１で行っている送信試験を終了してもよい。
【００２８】
＜付記＞
上記実施形態の一部又は全部は、以下の付記のようにも記載されうる。以下、本発明における通信システム、通信装置、プログラム、通信制御方法の構成の概略を説明する。但し、本発明は、以下の構成に限定されない。
【００２９】
（付記１）
ネットワークを介して接続された複数の通信装置を備えて構成されており、
前記複数の通信装置は、ネットワークを介して接続された管理装置からの予め設定された試験の指示に応じて、予め設定された試験情報の送信及び受信を行うことで前記試験を行う送信側通信装置及び受信側通信装置を有しており、
前記送信側通信装置は、
前記管理装置から前記試験を開始する指示を受け付けた場合に、当該送信側通信装置における前記試験を開始し、
前記管理装置から前記試験を終了する指示を受け付けた場合に、当該送信側通信装置における試験を終了すると共に、前記受信側通信装置に対して前記試験を終了する通知である試験終了通知を送信し、
前記受信側通信装置は、
前記管理装置から前記試験を開始する指示を受け付けた場合に、当該受信側通信装置における前記試験を開始し、
前記送信側通信装置から前記試験終了通知を受け付けた場合に、当該受信側通信装置における前記試験を終了する、
通信システム。
【００３０】
（付記２）
付記１に記載の通信システムであって、
前記受信側通信装置は、前記送信側通信装置から前記試験終了通知を受け付けた場合に、当該受信側通信装置における前記試験を終了すると共に、当該受信側通信装置における前記試験が終了したことを通知する試験終了応答を前記送信側通信装置に送信し、
前記送信側通信装置は、前記受信側通信装置から前記試験終了応答を受け付けた場合に、前記試験全体が終了したことを前記管理装置に通知する、
通信システム。
【００３１】
（付記３）
付記２に記載の通信システムであって、
前記試験は、Ether-OAM TSTの試験であって、当該試験時に前記送信側通信装置及び前記受信側通信装置で送信及び受信される前記試験情報は、Ether-OAM TSTの試験で規定されたOAMフレームであり、
前記送信側通信装置は、前記試験終了通知であることを表す情報を含めた前記OAMフレームの形式の前記試験終了通知を、前記受信側通信装置に対して送信し、
前記受信側通信装置は、前記試験終了応答であることを表す情報を含めた前記OAMフレームの形式の前記試験終了応答を、前記送信側通信装置に対して送信する、
通信システム。
【００３２】
（付記４）
付記３に記載の通信システムであって、
前記送信側通信装置は、前記試験時には「０」の値が設定される前記OAMフレーム内の「Flags」の値に、「０」とは異なり前記試験終了通知であることを表す情報である第１の値を設定した当該OAMフレームの形式の前記試験終了通知を、前記受信側通信装置に対して送信し、
前記受信側通信装置は、前記OAMフレーム内の「Flags」の値に、「０」とは異なり前記第１の値とも異なる第２の値を設定した当該OAMフレームの形式の前記試験終了応答を、前記送信側通信装置に対して送信する、
通信システム。
【００３３】
（付記５）
付記２乃至４のいずれかに記載の通信システムであって、
前記受信側通信装置が複数ある場合に、
前記送信側通信装置は、前記試験終了通知を前記複数の受信側通信装置にそれぞれ送信し、
前記複数の受信側通信装置は、それぞれ、前記試験終了応答を前記送信側通信装置に送信し、
前記送信側通信装置は、前記試験終了通知を送信した全ての前記受信側通信装置から前記試験終了応答を受け付けた場合に、前記試験全体が終了したことを前記管理装置に通知する、
通信システム。
【００３４】
（付記６）
他の通信装置にネットワークを介して接続された通信装置であって、
ネットワークを介して接続された管理装置からの予め設定された試験の指示に応じて、予め設定された試験情報を他の通信装置に送信する送信側通信装置として機能する送信側機能部と、他の通信装置から送信された前記試験情報を受信する受信側通信装置として機能する受信側機能部と、を有しており、
前記送信側機能部は、
前記管理装置から前記試験を開始する指示を受け付けた場合に、前記送信側通信装置として自装置における前記試験を開始し、
前記管理装置から前記試験を終了する指示を受け付けた場合に、前記送信側通信装置として自装置における試験を終了すると共に、他の通信装置に対して前記試験を終了する通知である試験終了通知を送信し、
前記受信側機能部は、
前記管理装置から前記試験を開始する指示を受け付けた場合に、前記受信側通信装置として自装置における前記試験を開始し、
他の通信装置から前記試験終了通知を受け付けた場合に、前記受信側通信装置として自装置における前記試験を終了する、
通信装置。
【００３５】
（付記７）
付記６に記載の通信装置であって、
前記受信側機能部は、他の通信装置から前記試験終了通知を受け付けた場合に、前記受信側通信装置として自装置における前記試験を終了すると共に、自装置における前記試験が終了したことを通知する試験終了応答を、前記試験終了通知を送信してきた他の通信装置に送信し、
前記送信側機能部は、他の通信装置から前記試験終了応答を受け付けた場合に、前記試験全体が終了したことを前記管理装置に通知する、
通信装置。
【００３６】
（付記８）
他の通信装置にネットワークを介して接続された通信装置に、
ネットワークを介して接続された管理装置からの予め設定された試験の指示に応じて、予め設定された試験情報を他の通信装置に送信する送信側通信装置として機能する送信側機能部と、他の通信装置から送信された前記試験情報を受信する受信側通信装置として機能する受信側機能部と、を実現させると共に、
前記送信側機能部は、
前記管理装置から前記試験を開始する指示を受け付けた場合に、前記送信側通信装置として自装置における前記試験を開始し、
前記管理装置から前記試験を終了する指示を受け付けた場合に、前記送信側通信装置として自装置における試験を終了すると共に、他の通信装置に対して前記試験を終了する通知である試験終了通知を送信し、
前記受信側機能部は、
前記管理装置から前記試験を開始する指示を受け付けた場合に、前記受信側通信装置として自装置における前記試験を開始し、
他の通信装置から前記試験終了通知を受け付けた場合に、前記受信側通信装置として自装置における前記試験を終了する、
ことを実現させるためのプログラム。
【００３７】
（付記９）
ネットワークを介して接続された複数の通信装置を備えて構成された通信システムによる通信制御方法であって、
前記複数の通信装置は、ネットワークを介して接続された管理装置からの予め設定された試験の指示に応じて、予め設定された試験情報の送信及び受信を行うことで前記試験を行う送信側通信装置及び受信側通信装置を有しており、
前記送信側通信装置が、前記管理装置から前記試験を開始する指示を受け付けて、当該送信側通信装置における前記試験を開始すると共に、前記受信側通信装置が、前記管理装置から前記試験を開始する指示を受け付けて、当該受信側通信装置における前記試験を開始し、
前記送信側通信装置が、前記管理装置から前記試験を終了する指示を受け付けて、当該送信側通信装置における試験を終了すると共に、前記受信側通信装置に対して前記試験を終了する通知である試験終了通知を送信し、
前記受信側通信装置が、前記送信側通信装置から前記試験終了通知を受け付けて、当該受信側通信装置における前記試験を終了する、
通信制御方法。
【００３８】
（付記１０）
付記９に記載の通信制御方法であって、
前記受信側通信装置が、前記送信側通信装置から前記試験終了通知を受け付けて、当該受信側通信装置における前記試験を終了すると共に、当該受信側通信装置における前記試験が終了したことを通知する試験終了応答を前記送信側通信装置に送信し、
前記送信側通信装置が、前記受信側通信装置から前記試験終了応答を受け付けて、前記試験全体が終了したことを前記管理装置に通知する、
通信制御方法。
【００３９】
なお、上述したプログラムは、記憶装置に記憶されていたり、コンピュータが読み取り可能な記録媒体に記録されている。例えば、記録媒体は、フレキシブルディスク、光ディスク、光磁気ディスク、及び、半導体メモリ等の可搬性を有する媒体である。
【００４０】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００４１】
ＮＥ１，ＮＥ２，ＮＥ３  通信装置
１０  オペレータ端末
２０  サーバ装置
【図１】
2014103495.tif 000003
【図２】
2014103495.tif 000004
【図３】
2014103495.tif 000005
【図４】
2014103495.tif 000006
【図５】
2014103495.tif 000007
【図６】
2014103495.tif 000008
【図７】
2014103495.tif 000009
【図８】
2014103495.tif 000010
【図９】
2014103495.tif 000011
【図１０】
2014103495.tif 000012